(57)【特許請求の範囲】
【請求項１】
クーラーボックスの運搬時に用いられる肩掛用ベルトやハンドル等の運搬部材を取り付けるための左右一対の運搬部材用取付部を備えるクーラーボックスの本体に付属品を取り付けるための付属品用取付部材であって、
前記運搬部材用取付部に係止されて下方に延びる左右一対の固定部材と、該左右一対の固定部材のうちの一方の固定部材から前記クーラーボックスの前面又は後面を介して他方の固定部材へ亘るように構成され、かつ、前記左右一対の固定部材に対してスライド可能に係合する前記付属品を取り付け可能な可動部材と、該可動部材のクーラーボックス側へのスライドにより該可動部材が前記クーラーボックスの前面又は後面に当接し、該当接状態で前記可動部材を前記左右一対の固定部材に固定する固定手段とを備えていることを特徴とする付属品用取付部材。
【請求項２】
前記運搬部材用取付部が、前記クーラーボックスの側部の外面から外向きに所定間隔を置いて設けられ、かつ、前記ハンドルの端部を嵌合して該ハンドルを取り付けるための嵌合用孔が形成された板状部材から構成されていることを特徴とする請求項１に記載の付属品用取付部材。
【請求項３】
クーラーボックスの運搬時に用いられる肩掛用ベルトやハンドル等の運搬部材を取り付けるための運搬部材用取付部を前記クーラーボックスの本体の左右方向両側部に備えるとともに、前記クーラーボックスの本体に付属品を取り付けるための付属品用取付部材を備えたクーラーボックスであって、
前記付属品用取付部材が、前記各運搬部材用取付部に係止されて下方に延びる左右一対の固定部材と、該左右一対の固定部材のうちの一方の固定部材から前記クーラーボックスの前面又は後面を介して他方の固定部材へ亘るように構成され、かつ、前記左右一対の固定部材に対してスライド可能に係合する前記付属品を取り付け可能な可動部材と、該可動部材のクーラーボックス側へのスライドにより該可動部材が前記クーラーボックスの前面又は後面に当接し、該当接状態で前記可動部材を前記左右一対の固定部材に固定する固定手段とを備えていることを特徴とするクーラーボックス。
【請求項４】
前記運搬部材用取付部が、前記クーラーボックスの側部の外面から外向きに所定間隔を置いて設けられ、かつ、前記ハンドルの端部を嵌合して該ハンドルを取り付けるための嵌合用孔が形成された板状部材から構成されていることを特徴とする請求項３に記載のクーラーボックス。
【発明の詳細な説明】
【技術分野】
【０００１】
本発明は、クーラーボックスの本体へ付属品を取り付けるための付属品用取付部材及び該付属品用取付部材を備えるクーラーボックスに関する。
【背景技術】
【０００２】
従来から、魚釣りの際に、ロッドレスト、シンカーホルダー等の付属品をクーラーボックスと一緒に持ち運べるように、それら付属品を取り付けることができる付属品用取付部材をクーラーボックスの本体に固定している。この付属品用取付部材は、クーラーボックスの本体の底面にビスにより固定される一対の固定部材と、これら固定部材からクーラーボックスの本体の前面に位置するように延びるとともに四角形状の枠型に構成された取り付けバーとから構成されている（例えば、特許文献１参照）。
【先行技術文献】
【特許文献】
【０００３】
【特許文献１】特開平１０−２７６６４５号公報（図１２参照）
【発明の概要】
【発明が解決しようとする課題】
【０００４】
上記のように、付属品用取付部材がクーラーボックスの本体にビスで固定されているため、ビスを緩めて付属品用取付部材を取り外すと、クーラーボックスの本体にビス孔が残ってしまい、クーラーボックスの本体の美観を損なうだけでなく、取り外した付属品用取付部材を再度クーラーボックスの本体に取り付ける際に同じ位置に取り付けることができない。そのため、現実的には、付属品用取付部材をクーラーボックスの本体から取り外すことができない。このことから、魚釣り以外の時でも、クーラーボックスを持ち運ぶ度に付属品用取付部材も常に一緒に持ち運ばなければならず、邪魔になるだけでなく、クーラーボックスにおける付属品用取付部材との境界部分を洗い難く、不便であった。
【０００５】
本発明は、前述の状況に鑑みてなされ、付属品用取付部材を不要時にクーラーボックスの本体から取り外すことができる付属品用取付部材及びクーラーボックスを提供することにある。
【課題を解決するための手段】
【０００６】
本発明の付属品用取付部材は、前述の課題解決のために、クーラーボックスの運搬時に用いられる肩掛用ベルトやハンドル等の運搬部材を取り付けるための左右一対の運搬部材用取付部を備えるクーラーボックスの本体に付属品を取り付けるための付属品用取付部材であって、前記運搬部材用取付部に係止されて下方に延びる左右一対の固定部材と、該左右一対の固定部材のうちの一方の固定部材から前記クーラーボックスの前面又は後面を介して他方の固定部材へ亘るように構成され、かつ、前記左右一対の固定部材に対してスライド可能に係合する前記付属品を取り付け可能な可動部材と、該可動部材のクーラーボックス側へのスライドにより該可動部材が前記クーラーボックスの前面又は後面に当接し、該当接状態で前記可動部材を前記左右一対の固定部材に固定する固定手段とを備えていることを特徴としている。
また、クーラーボックスの運搬時に用いられる肩掛用ベルトやハンドル等の運搬部材を取り付けるための運搬部材用取付部を前記クーラーボックスの本体の左右方向両側部に備えるとともに、前記クーラーボックスの本体に付属品を取り付けるための付属品用取付部材を備えたクーラーボックスであって、前記付属品用取付部材が、前記各運搬部材用取付部に係止されて下方に延びる左右一対の固定部材と、該左右一対の固定部材のうちの一方の固定部材から前記クーラーボックスの前面又は後面を介して他方の固定部材へ亘るように構成され、かつ、前記左右一対の固定部材に対してスライド可能に係合する前記付属品を取り付け可能な可動部材と、該可動部材のクーラーボックス側へのスライドにより該可動部材が前記クーラーボックスの前面又は後面に当接し、該当接状態で前記可動部材を前記左右一対の固定部材に固定する固定手段とを備えていることを特徴とするクーラーボックスであってもよい。
【０００７】
本発明によれば、運搬部材用取付部に係止されて下方に延びる左右一対の固定部材のうちの一方の固定部材から前記クーラーボックスの前面又は後面を介して他方の固定部材へ亘るように構成された付属品を取り付け可能な可動部材を固定部材に対してスライドさせることによりクーラーボックスの前面又は後面に当接させ、その当接状態で可動部材を固定部材に固定手段で固定することで、可動部材がガタつくことがなく、しっかりとクーラーボックスに取り付けることができる。
【０００８】
また、本発明の付属品用取付部材は、前記運搬部材用取付部が、前記クーラーボックスの側部の外面から外向きに所定間隔を置いて設けられ、かつ、前記ハンドルの端部を嵌合して該ハンドルを取り付けるための嵌合用孔が形成された板状部材から構成されていてもよい。
【０００９】
また、本発明のクーラーボックスは、前記運搬部材用取付部が、前記クーラーボックスの側部の外面から外向きに所定間隔を置いて設けられ、かつ、前記ハンドルの端部を嵌合して該ハンドルを取り付けるための嵌合用孔が形成された板状部材から構成されていてもよい。
【発明の効果】
【００１２】
本発明のように、付属品用取付部材が、運搬部材用取付部に係止により着脱自在に取り付けられているので、付属品用取付部材を不要時にクーラーボックスの本体から取り外すことができる付属品用取付部材及びクーラーボックスを提供することができる。
【図面の簡単な説明】
【００１３】
【図１】本発明の付属品用取付部材を取り付けたクーラーボックスの斜視図である。
【図２】同クーラーボックスの正面図である。
【図３】同クーラーボックスの側面図である。
【図４】同クーラーボックスの平面図である。
【図５】ハンドルを取り外した状態の同クーラーボックスの斜視図である。
【図６】同クーラーボックスにハンドル及び付属品用取付部材並びに付属品を取り付ける直前の状態を示す分解斜視図である。
【図７】同クーラーボックスに可動部材を取り付ける直前の分解斜視図である。
【図８】図２におけるＢ−Ｂ線断面図である。
【図９】別の形態の固定部材と運搬部材用取付部とを示す概略図である。
【発明を実施するための形態】
【００１４】
以下、本発明の実施形態を図面に基づいて説明する。
【００１５】
図１〜図４に、後述する付属品を装着するための付属品用取付部材が取り付けられたクーラーボックス１を示している。このクーラーボックス１は、魚釣り等に使用され、主として、釣れた魚や飲料水等を保冷する。具体的には、クーラーボックス１は、上方が開放されたボックス型のクーラーボックスの本体２と、このクーラーボックスの本体２（以下、単に本体２という）の上端開口部を閉じる開閉自在な蓋体３とを備えている。
【００１６】
本体２は、合成樹脂により成形され、略直方体形状に形成されている。以下において、本体２の長手方向を左右方向とし、本体２の短手方向を前後方向として説明する。具体的には、本体２は、底壁２Ａと、底壁２Ａの左右一対の短辺から上方に延びる左右一対の短側壁２Ｂ，２Ｂと、底壁２Ａの前後一対の長辺から上方に延びる前後一対の長側壁２Ｃ，２Ｃとを備えている。
【００１７】
蓋体３は、合成樹脂により成形され、本体２の上面の外形形状に対応して略長方形の板状に形成されている。そして、蓋体３が本体２の上端開口部を閉じた状態では、平面視において蓋体３の外形と本体２の外形とが一致する。つまり、蓋体３の側面と本体２の側面とが同一面上で略連続した状態となる。
【００１８】
クーラーボックス1には、運搬時に用いられる運搬部材としての肩掛用ベルト（図示せず）及びハンドル４のうちの一方のハンドル４を取り付けるための運搬部材用取付部５を備えている。
【００１９】
また、クーラーボックス1には、付属品を取り付け可能で、かつ、クーラーボックス１の左右方向一側部からクーラーボックス１の前面（ここでは前面であるが、後面でもよい）を介してクーラーボックスの左右方向他側部へ延びる付属品用取付部材６を設け、付属品用取付部材６が、両運搬部材用取付部５，５に係止により着脱自在に取り付けられている。
【００２０】
ハンドル４は、図１、図２及び５に示すように、一直線上でかつ棒状に形成された取っ手部４Ａと、取っ手部４Ａの両端から斜め下方へ延びる一対の延出部４Ｂ，４Ｂと、延出部４Ｂ，４Ｂの先端から下方へ延びて運搬部材用取付部５，５に取り付けられる一対の接続部４Ｃ，４Ｃとを備えている。各接続部４Ｃは、縦向きの棒状部４１と、棒状部４１の先端部の内面に内側に突出する突出部４２とを備える。突出部４２は、棒状部４１の先端部の内面から内側へ突出するとともに後述する孔７１Ｃが係止する外形が円形状の被係止部４２Ａと、この被係止部４２Ａの内側端から内側に突出すると共に被係止部４２Ａよりも大きな外径を有する円形状の先端部４２Ｂとを備える。
【００２１】
運搬部材用取付部５は、図５及び図６に示すように、本体２の左右側部の上端部でかつ前後方向中央部にそれぞれ一体形成されている。各運搬部材用取付部５は、クーラーボックス1の本体２の側部の外面から所定間隔を置いて設けられ、かつ、ハンドル４の端部を嵌合してハンドル４を取り付けるための嵌合用孔５Ｋが形成された前後方向に長い長方形状で板状の取付部本体５Ａと、この取付部本体５Ａの前後端からクーラーボックス1の側部の外面に延びて取付部本体５Ａをクーラーボックス1に連結するための前後一対の連結板部５Ｂ，５Ｂとからなる平面視コの字状の板状部材から構成されている。
【００２２】
付属品用取付部材６は、図１及び図６に示すように、運搬部材用取付部５に係止されて下方に延びる一対の合成樹脂製の固定部材７，７と、該一対の固定部材７，７からクーラーボックス１の前面側（ここでは前面側であるが、後面側であってもよい）に延びる一対の合成樹脂製の延出部８，８と、該一対の延出部８，８の延出端同士をクーラーボックス１の左右方向で連結するとともに付属品を取り付け可能な取付部９とから構成される可動部材１０とを備えている。
【００２３】
各延出部８は、前後方向に一直線上に延びる直線部８１と、直線部８１の前端からクーラーボックス1のコーナー部１Ａの曲線に沿うように湾曲した湾曲部８２と、湾曲部８２よりも上方に位置するように湾曲部８２の先端部の上端部分から左右方向内側方へ延びるとともに取付部９を接続する接続部８３とを備えている。直線部８１の後端部には、延出部８のスライドを案内できるように、後述する長孔７２Ｍに内側から係合して（入り込んで）直線部８１を移動案内する突出部８１Ｔを備えている。この突出部８１Ｔは、延出部８を前方へスライドさせた時に、長孔７２Ｍの前端に当接してそれ以上の延出部８の前方側への移動を阻止するストッパーとしても機能する。
【００２４】
取付部９は、上下方向において所定間隔を置いて配置される金属製の上下一対の左右方向に延びる板状部材９１，９１から構成されている。これら板状部材９１，９１の両端が、延出部８，８の先端部に差し込まれて接着剤等により抜けないようにしている。図１、図２では、付属品が取付部９に装着されている。付属品としては、仕掛けの交換時や休憩時に竿を置くための合成樹脂製のロッドレスト１１、天秤を収容しておくための合成樹脂製のシンカーホルダー１２、餌箱（図示せず）を係止するための合成樹脂製の餌箱用ホルダー１３が示されている。ロッドレスト１１は、後面に取付部９とクーラーボックス1との間に形成される隙間に差し込むことができる差し込み部１１Ａを備え、差し込み部１１Ａを取付部９とクーラーボックス1との間の隙間に差し込むことによって、差し込み部１１Ａとロッドレスト１１とで取付部９を挟み込んでロッドレスト１１を取付部９に装着できる。シンカーホルダー１２は、後面に取付部９とクーラーボックス1との間に形成される隙間に差し込むことができる左右一対の差し込み部１２Ａ，１２Ａを備え、差し込み部１２Ａ，１２Ａを取付部９とクーラーボックス1との間の隙間に差し込むことによって、差し込み部１２Ａ，１２Ａとシンカーホルダー１２とで取付部９を挟み込んでシンカーホルダー１２を取付部９に装着できる。餌箱用ホルダー１３は、餌箱の係止部を係止する被係止部１３ａを備えた長方形状の前側部材１３Ａと、この前側部材１３Ａの後側に重ね合わせることによって前側部材１３Ａに一体化する長方形状の後側部材１３Ｂとを備えている。後側部材１３Ｂには、前側部材１３Ａとで上下一対の板状部材９１，９１を前後方向から挟み込んだ時に板状部材９１，９１を収容するための３つの溝Ｍ１，Ｍ２，Ｍ３（図６参照）が長手方向に間隔を置いて形成されている。これら３つの溝Ｍ１，Ｍ２，Ｍ３を設けることによって、３つの溝Ｍ１，Ｍ２，Ｍ３のうちの最上部に位置する溝Ｍ１を除いた下側の２つの溝Ｍ２，Ｍ３に板状部材９１，９１を収容する第１状態（図１参照）と、最下部に位置する溝Ｍ３を除いた上側の２つの溝Ｍ１，Ｍ２に板状部材９１，９１を収容する第２状態（図示していない）とを選択することができる。この選択により、板状部材９１，９１に対する餌箱用ホルダー１３の取付高さを変更することができる。
【００２５】
固定部材７は、図６に示すように、運搬部材用取付部５の内面とクーラーボックス1の側部の外面とで形成される空間Ｋ内に下方から挿入可能な幅を有する板状の上側固定部７１と、上側固定部７１から下方に延びるとともに上側固定部７１よりも幅広い寸法を有してサイドボックス１４（図１参照）を取り付けるための下側固定部７２とを備える。
【００２６】
上側固定部７１には、図５及び図６に示すように、肩掛用ベルト（図示せず）を挿通させて装着するためのベルト挿通孔７１Ａと取付部本体５Ａの嵌合用孔５Ｋに嵌合されてクーラーボックス側に突出するハンドル４の突出部４２の被係止部４２Ａに係止する係止部としての係止孔７１Ｂとが上下に形成されている。ベルト挿通孔７１Ａは、前後方向に長い形状になっている。これら左右のベルト挿通孔７１Ａ．７１Ａに肩掛用ベルト（図示せず）を通して装着する。係止孔７１Ｂは、上下方向に２つの大小の孔７１Ｃ，７１Ｄが連続して形成された略ひょうたん型に形成されている。これら２つの孔７１Ｃ，７１Ｄのうちの一方の下側の孔７１Ｄは、ハンドル４の突出部４２の先端部４２Ｂを挿通可能な大きさに形成され、また他方の上側の孔７１Ｃは、下側の孔７１Ｄの上端に連続して形成され下側の孔７１Ｄよりも小径な孔に構成されている。従って、上側固定部７１の下側の孔７１Ｄにハンドル４の突出部４２の先端部４２Ｂを挿通した状態で、上側固定部７１を下方へ移動させることによって、上側の孔７１Ｃがハンドル４の突出部４２の被係止部４２Ａに係止する。この係止によって、例えば付属品の重量が加わって、固定部材７が下方へ移動することを阻止できる。
【００２７】
また、上側固定部７１の下部には、図３及び図６に示すように、前記上側の孔７１Ｃがハンドル４の突出部４２の被係止部４２Ａに係止した状態において、上側固定部７１の上方への移動を係止により阻止するための係止部としての前後一対の係止爪７１Ｅ，７１Ｅを備えている。前後一対の係止爪７１Ｅ，７１Ｅは、上側固定部７１の表面から外側に突出するように上側固定部７１に一体形成され、かつ、上下方向に沿う姿勢になっている。そして、係止爪７１Ｅ，７１Ｅに外側から外力が与えられると、係止爪７１Ｅ，７１Ｅが下端部を支点として内側へ揺動できるように構成され、外力の付与が無くなると、上側固定部７１の表面から外側に突出する位置に戻るように構成されている。従って、図３に示すように、上側の孔７１Ｃがハンドル４の突出部４２の被係止部４２Ａに係止した状態において、係止爪７１Ｅ，７１Ｅの上端面７１ｅ，７１ｅが運搬部材用取付部５の下端面５Ｌに当接（係止）している。これにより、肩掛用ベルトからの上方への引っ張り力が加わった場合でも、運搬部材用取付部５に対して上側固定部７１、つまり固定部材７が上方へ移動することを阻止できる。
【００２８】
下側固定部７２は、外形が逆台形状に構成され、上端部には、サイドボックス１４の背面の上端部に備えている左右一対の係止部（図示せず）を係止して固定するための左右一対の係止孔７２Ａ，７２Ａが形成されている。また、下側固定部７２の下端部には、サイドボックス１４の下部を引っ掛けるための係止部７２Ｂが形成されている。また、下側固定部７２の上下方向中間部には、可動部材１０の延出部８，８の突出部８１Ｔが内側から係合可能な（入り込むことができる）前後方向に長い長孔７２Ｍが形成されている。この突出部８１Ｔが長孔７２Ｍに係合した（入り込んだ）状態で可動部材１０を前後方向へスライドさせることによって、可動部材１０をスムーズにスライド案内することができる。図１では、左側の下側固定部７２にのみサイドボックス１４を取り付けているが、右側の下側固定部７２にもサイドボックス１４を取り付けてもよい。
【００２９】
また、図６に示すように、可動部材１０（ここでは延出部８，８）を固定部材７に固定するための固定手段１５（図６では左側の固定手段１５のみを説明する）を備えている。固定手段１５は、延出部８に形成された３つの螺子孔８ａ，８ｂ，８ｃと、これら３つの螺子孔８ａ，８ｂ，８ｃのうちの任意の螺子孔に螺合する頭付螺子８Ｎ（図６では左側のものを示し、右側のものは図示していない）とから構成されている。頭付螺子８Ｎの頭部８ｔを回転させることによって、螺子部８ｎが螺子孔８ａにねじ込まれる。これにより、頭付螺子８Ｎの頭部８ｔと延出部８との間で下側固定部７２が締め付けられ、可動部材１０の延出部８が固定部材７に固定される。また、締め付けられている頭付螺子８Ｎを緩めることによって、頭付螺子８Ｎの頭部８ｔと延出部８との間で締め付けられている下側固定部７２の締め付けが解除され、可動部材１０を固定部材７に対してスライド可能となる固定解除状態にすることができる。そして、可動部材１０を固定部材７に固定する際には、可動部材１０をクーラーボックス側へスライドさせてクーラーボックス1の本体２の前面に当接させる。この当接状態で頭付螺子８Ｎを締め付けることによって、可動部材１０を固定部材７に固定することができる。これにより可動部材１０がガタつくことがなく、しっかりとクーラーボックス１の本体２に取り付けることができる。また、可動部材１０がスライドできる構成であるため、前後方向の寸法が異なるクーラーボックスであっても、その寸法を可動部材１０のスライドにより吸収することができる。これにより部材の兼用化を図ることができる。
【００３０】
付属品用取付部材６が両運搬部材用取付部５に係止により取り付けられる手順について説明する。図６に示すように、ハンドル４、付属品用取付部材６を構成する可動部材１０及び固定部材７が、クーラーボックス１の本体２に取り付けられていない状態において、まず、ハンドル４の両端を両運搬部材用取付部５，５の嵌合用孔５Ｋ．５Ｋにそれぞれ嵌合させる。次に、一方の固定部材７の上側固定部７１を運搬部材用取付部５の内部に下方から係止爪７１Ｅ，７１Ｅを押しながら挿入して上側固定部７１の下側の孔７１Ｄがハンドル４の突出部４２の先端部４２Ｂを挿通できるように位置させる。続いて、上側固定部７１の下側の孔７１Ｄにハンドル４の突出部４２の先端部４２Ｂを挿通させてから、上側固定部７１を下方へ移動させることによって、上側の孔７１Ｃがハンドル４の突出部４２の被係止部４２Ａに係止する（図８参照）。この係止によって、付属品の重量が加わった場合でも、上側固定部７１、つまり固定部材７が下方へ移動することを阻止できる。これと同時に、係止爪７Ｅ，７Ｅの上端面７ｅ，７ｅが運搬部材用取付部５の下端面５Ｌに当接（係止）することにより、肩掛用ベルトからの上方への引っ張り力が作用した場合でも、運搬部材用取付部５に対して上側固定部７１、つまり固定部材７が上方へ移動することを阻止できる。尚、他方の固定部材７も前述した手順で行う。
【００３１】
次に、可動部材１０の延出部８，８の遊端部（後端部）を固定部材７，７の下側固定部７２，７２の内部に前方から挿入する（図７参照）。この挿入により、延出部８，８の湾曲部８２及び接続部８３がクーラーボックス1のコーナー部１Ａ及び前面１Ｆに当接する（図４参照）。この当接状態において、頭付螺子８Ｎ，８Ｎを左右の延出部８，８の螺子孔８ａ，８ａにそれぞれ螺合して可動部材１０と固定部材７とを固定する。これによって、付属品用取付部材６の両運搬部材用取付部５，５への取付が完了する。付属品用取付部材６を両運搬部材用取付部５，５から取り外す場合には、まず、左右の頭付螺子８Ｎ．８Ｎを螺子孔８ａ，８ａからそれぞれ取り外してから、可動部材１０の延出部８，８を固定部材７，７の下側固定部７２，７２の内部から引き抜く。続いて係止爪７１Ｅ，７１Ｅを押し込んで係止を解除した状態で一方の固定部材７を上方に移動させてハンドル４の突出部４２の被係止部４２Ａと上側の孔７１Ｃとの係止を解除する。係止解除後は、運搬部材用取付部５から一方の上側固定部７１をクーラーボックス１側へ移動させることによって、ハンドル４の突出部４２の先端部４２Ｂから上側固定部７１の下側の孔７１Ｄを通して上側固定部７１をハンドル４の突出部４２から引き離す。引き離した状態で上側固定部７１を下方へ移動させて固定部材７を取り外す。他方の固定部材７も同様に行って、付属品用取付部材６を両運搬部材用取付部５，５から取り外す作業を終了する。
【００３２】
前記のように、付属品用取付部材６が両運搬部材用取付部５，５に係止により着脱自在に取り付けられているので、付属品用取付部材６が不要な時には、係止を解除することによって、付属品用取付部材６をクーラーボックス１の本体２から取り外すことができる。これにより、クーラーボックス１のみを持ち運ぶことができる、あるいは、クーラーボックス１を洗う時に付属品用取付部材６が邪魔になるようなことがない。また、付属品用取付部材６が必要な時には、両運搬部材用取付部５，５に係止することによって、クーラーボックス１の本体２に取り付けることができる。
【００３３】
また、前記のように、嵌合用孔５Ｋに嵌合されてクーラーボックス側に突出するハンドル４の突出部４２に固定部材７に形成の上側の孔（係止孔）７１Ｃを係止することによって、固定部材７を運搬部材用取付部５にしっかりと固定することができる。また、可動部材１０がクーラーボックス１の本体２に対してスライド自在に構成されているので、大きさの異なるクーラーボックスであっても、可動部材１０をクーラーボックス１の本体２に対してスライドさせるだけで装着することができ、部材の兼用化による部材点数の削減化を図ることができる。
【００３４】
本発明の付属品用取付部材は、上記実施形態に限定されるものではない。例えば、前記実施形態では、固定部材７に形成された孔７１Ｃを運搬部材用取付部５の嵌合用孔５Ｋに嵌合するハンドル４の突出部４２の被係止部４２Ａに係止する構成であったが、ハンドル４ではなく専用の嵌合部材を嵌合用孔５Ｋに嵌合し、その嵌合部材の突出部に固定部材７に形成された孔７１Ｃを係止する構成であってもよい。
【００３５】
また、前記実施形態では、固定部材７に形成された孔７１Ｃを運搬部材用取付部５の嵌合用孔５Ｋに嵌合するハンドル４の突出部４２の被係止部４２Ａに係止することによって、付属品用取付部材６を、運搬部材用取付部５に間接的に取り付ける構成であったが、運搬部材用取付部５に付属品用取付部材６を直接係止により着脱自在に取り付ける構成であってもよい。
【００３６】
また、前記実施形態では、肩掛用ベルト及びハンドル４のうちのハンドル４を取り付けることができる運搬部材用取付部５を示したが、例えば肩掛用ベルトを取り付けることができるベルト挿通孔を備える運搬部材用取付部５に構成してもよいし、また、肩掛用ベルト及びハンドル４の両方を取り付けることができる運搬部材用取付部５に構成してもよい。また、前記実施形態では、肩掛用ベルト及びハンドル４の両方を装着できる構成としているが、いずれか一方のみを装着できる構成であってもよい。
【００３７】
また、前記実施形態では、取付部９を上下一対の板状部材９１，９１から構成したが、１つ又は３つ以上の部材から構成してもよい。この部材としては、板状のものの他、棒状のものであってもよい。
【００３８】
また、前記実施形態では、クーラーボックス１の左右方向一側部からクーラーボックス１の前面を介してクーラーボックス１の左右方向他側部へ延びる付属品用取付部材６を示したが、クーラーボックス１の左右方向一側部からクーラーボックス１の後面を介してクーラーボックス１の左右方向他側部へ延びる付属品用取付部材であってもよい。また、付属品用取付部材の具体的構成は、自由に変更することができる。例えば、サイドボックス１４を取り付けるために、上側板部７１とこれよりも幅の広い下側板部７２とから固定部材７を構成したが、サイドボックス１４を取り付けない場合には、幅の広い下側板部７２が不要となり上下方向で同一幅の固定部材７から構成することができる。また、可動部材１０を、左右の延出部８，８と取付部９とから構成したが、左右の延出部８，８を省略し、左右方向に延びる取付部９を左右の固定部材７，７の係止部７１Ｂ，７１Ｂ間に亘るように構成して実施することもできる。
【００３９】
また、前記実施形態では、固定部材７が上方へ移動することを係止爪７１Ｅ，７１Ｅが運搬部材用取付部５に当接（係止）することによって阻止し、固定部材７が下方へ移動することを固定部材７の孔７１Ｃとハンドル４の突出部４２の被係止部４２Ａとの係止により阻止する構成であったが、これとは上下が逆になるように構成することもできる。例えば、図９に示すように、つまり、固定部材７の前後方向両端部の上端に、前後一対の係止部１６，１６を備えている。各係止部１６は、外力を受けて下端部を支点として固定部材７の前後方向中央部側に倒れ込むように変形する縦長状の本体部１６Ｂと、この本体部１６Ｂの上端に前後方向外側に突出する水平な爪部１６Ａとを備えている。従って、本体部１６Ｂ，１６Ｂを固定部材７の前後方向中央部側に倒れ込むように変形させることによって爪部１６Ａ，１６Ａを互いに接近する側に変形させる。この状態で、固定部材７を運搬部材用取付部５の内部に下方から挿入し、図９の位置まで上昇させることによって、爪部１６Ａ，１６Ａが図９に示す所定姿勢に復帰する。このとき、爪部１６Ａ，１６Ａの下面１６ａ，１６ａが運搬部材用取付部５の上面５Ｕに係止（当接）して、例えば付属品の重量が加わった場合でも、固定部材７が下方へ移動することを阻止することができる。また、固定部材７に形成される大小２つの孔７１Ｃ，７１Ｄを図９に示すように、大きな孔７１Ｄを小さな孔７１Ｃの上に形成されている。従って、前記のように固定部材７を運搬部材用取付部５の内部に下方から挿入して大径の孔７１Ｄにハンドル４の突出部４２を挿通させる。この状態で固定部材７を上方へ移動させることによって、小径の孔（係止部）７１Ｃに被係止部４２Ａが係止する。この係止により、ベルト挿通孔７１Ａに挿通された肩掛用ベルトからの引っ張り力が作用しても、上方へ固定部材７が移動することを阻止することができる。このとき、前記したように係止部１６，１６も運搬部材用取付部５に当接（係止）しているので、固定部材７が上下方向に移動することを阻止することができる。
【００４０】
また、前記実施形態では、大きさの異なるクーラーボックス１に付属品用取付部材６を取り付ける場合には、可動部材１０をスライドさせることによって、前後方向の寸法の変動を吸収することができるように構成しているが、左右方向の寸法の変動を長さの異なる複数種類の取付部９を用意することで吸収するようにしてもよい。また、取付部９を長さ調整可能に構成する、例えば伸縮自在に構成することによって、左右方向の寸法の変動を吸収する構成としてもよい。
【００４１】
また、前記実施形態では、付属品として、ロッドレスト１１、シンカーホルダー１２、餌箱用ホルダー１３を示したが、小物や飲み物を収容することができる小物及びドリンク用ホルダー、アシストポーチ等であってもよい。
【符号の説明】
【００４２】
1…クーラーボックス、１Ａ…コーナー部、１Ｆ…前面、２…本体、２Ａ…底壁、２Ｂ…短側壁、２Ｃ…長側壁、３…蓋体、４…ハンドル、４Ａ…取っ手部、４Ｂ…延出部、４Ｃ…接続部、５…運搬部材用取付部、５Ａ…取付部本体、５Ｂ…連結板部、５Ｋ…嵌合用孔、５Ｌ…下端面、６…付属品用取付部材、７…固定部材、７Ｅ…係止爪、７ｅ…上端面、８…延出部、８Ｎ…頭付螺子、８ａ，８ｂ，８ｃ…螺子孔、８ｎ…螺子部、８ｔ…頭部、９…取付部、１０…可動部材、１１…ロッドレスト、１１Ａ…差し込み部、１２…シンカーホルダー、１２Ａ…差し込み部、１３…餌箱用ホルダー、１３Ａ…前側部材、１３Ｂ…後側部材、１３ａ…被係止部、１４…サイドボックス、１５…固定手段、４１…棒状部、４２…突出部、４２Ａ…被係止部、４２Ｂ…先端部、７１…上側固定部、７１Ａ…ベルト挿通孔、７１Ｂ…係止孔（係止部）、７１Ｃ…下側の孔、７１Ｄ…上側の孔（係止孔）、７１Ｅ…係止爪、７１ｅ…上端面、７２…下側固定部、７２Ａ…係止孔、７２Ｂ…係止部、７２Ｍ…長孔、８１…直線部、８１Ｔ…突出部、８２…湾曲部、８３…接続部、９１…板状部材、Ｋ…空間、Ｍ１，Ｍ２，Ｍ３…溝
【図１】
0006360391.tif 000002
【図２】
0006360391.tif 000003
【図３】
0006360391.tif 000004
【図４】
0006360391.tif 000005
【図５】
0006360391.tif 000006
【図６】
0006360391.tif 000007
【図７】
0006360391.tif 000008
【図８】
0006360391.tif 000009
【図９】
0006360391.tif 000010